(57)【要約】【課題】  斬新な印象を与える照明器具を提供する。【解決手段】  ランプシェード１０は、シート状部材によって筒状に形成された筒状体１１と、筒状体１１の上部で中空空間を保持するように固定された上部枠体１２と、上部枠体１２よりも下部で、筒状体１１の中空空間を保持するように固定された下部枠体１４とを有し、下部枠体１４は、上部枠体１２に対して、相対的に揺動可能に支持されている。より具体的には、筒状体１１は、伸縮性のある繊維布帛で構成され、下部枠体１４は、筒状体１１のみで支持されている。【選択図】図４
2017107854.tif 000002
【特許請求の範囲】
【請求項１】
シート状部材によって筒状に形成された筒状体と、
前記筒状体の上部で中空空間を保持するように固定された第１の枠体と、
前記第１の枠体よりも下部で、前記筒状体の中空空間を保持するように固定された第２の枠体と
を有し、
前記第２の枠体は、前記第１の枠体に対して、相対的に揺動可能に支持されている
ランプシェード。
【請求項２】
前記第２の枠体は、前記筒状体のみで支持されている
請求項１に記載のランプシェード。
【請求項３】
前記筒状体は、少なくとも横方向に伸縮性のある繊維布帛で構成され、非伸長状態において、前記第１の枠体又は前記第２の枠体よりも小さな径の筒状に形成されている
請求項１又は２に記載のランプシェード。
【請求項４】
前記筒状体は、少なくとも上下方向に伸縮性のある繊維布帛で構成されている
請求項１、２又は３に記載のランプシェード。
【請求項５】
前記第２の枠体は、前記第１の枠体とは異なる最大径を有し、
前記筒状体は、非伸長状態において、前記第１の枠体及び前記第２の枠体よりも小さな径の筒状に形成されている
請求項３に記載のランプシェード。
【請求項６】
前記第１の枠体は、前記シート状部材よりも硬い素材で構成され、
前記第２の枠体は、前記シート状部材よりも硬い素材で構成される
請求項１に記載のランプシェード。
【請求項７】
シート状部材によって筒状に形成された筒状体と、
前記筒状体の上部で中空空間を保持するように固定された第１の枠体と、
前記第１の枠体よりも下部で、前記筒状体の中空空間を保持するように固定された第２の枠体と、
前記筒状体の中空空間に配置された光源と
を有し、
前記第２の枠体は、前記第１の枠体に対して、相対的に揺動可能に支持されている
照明器具。
【請求項８】
伸縮性を有するシート状部材で筒状に形成された筒状体の端部を伸長させた状態で、伸長させた端部に第１の枠体を固定するステップと、
前記筒状体の他の端部を伸長させた状態で、伸長させた他の端部に第２の枠体を固定するステップと
を有する照明器具の製造方法。
【請求項９】
前記第１の枠体に対して光源を固定するステップ
をさらに有する請求項８に記載の製造方法。
【発明の詳細な説明】
【技術分野】
【０００１】
本発明は、ランプシェード、照明器具、及び、製造方法に関するものである。
【背景技術】
【０００２】
例えば、特許文献１では、蛇腹で構成されたランプシェードが開示されている。
例えば、特許文献２では、蛇腹状に伸びるように形成されたランプシェードが開示されている。
例えば、特許文献３では、提灯形に伸縮可能に形成されたシェードが開示されている。
【先行技術文献】
【特許文献】
【０００３】
【特許文献１】特開２００３−３４６５２３号公報
【特許文献２】特開２００８−２５８１２６号公報
【特許文献３】特開平８−５０８０３号公報
【発明の概要】
【発明が解決しようとする課題】
【０００４】
本発明は、斬新な印象を与える照明器具を提供することを目的とする。
【課題を解決するための手段】
【０００５】
本発明に係るランプシェードは、シート状部材によって筒状に形成された筒状体と、前記筒状体の上部で中空空間を保持するように固定された第１の枠体と、前記第１の枠体よりも下部で、前記筒状体の中空空間を保持するように固定された第２の枠体とを有し、前記第２の枠体は、前記第１の枠体に対して、相対的に揺動可能に支持されている。
【０００６】
好適には、前記第２の枠体は、前記筒状体のみで支持されている。
【０００７】
好適には、前記筒状体は、少なくとも横方向に伸縮性のある繊維布帛で構成され、非伸長状態において、前記第１の枠体又は前記第２の枠体よりも小さな径の筒状に形成されている。
【０００８】
好適には、前記筒状体は、少なくとも上下方向に伸縮性のある繊維布帛で構成されている。
【０００９】
好適には、前記第２の枠体は、前記第１の枠体とは異なる最大径を有し、前記筒状体は、非伸長状態において、前記第１の枠体及び前記第２の枠体よりも小さな径の筒状に形成されている。
好適には、前記第１の枠体は、前記シート状部材よりも硬い素材で構成され、前記第２の枠体は、前記シート状部材よりも硬い素材で構成される。
【００１０】
また、本発明に係る照明器具は、シート状部材によって筒状に形成された筒状体と、前記筒状体の上部で中空空間を保持するように固定された第１の枠体と、前記第１の枠体よりも下部で、前記筒状体の中空空間を保持するように固定された第２の枠体と、前記筒状体の中空空間に配置された光源とを有し、前記第２の枠体は、前記第１の枠体に対して、相対的に揺動可能に支持されている。
【００１１】
また、本発明に係る照明器具の製造方法は、伸縮性を有するシート状部材で筒状に形成された筒状体の端部を伸長させた状態で、伸長させた端部に第１の枠体を固定するステップと、前記筒状体の他の端部を伸長させた状態で、伸長させた他の端部に第２の枠体を固定するステップとを有する。
【００１２】
好適には、前記第１の枠体に対して光源を固定するステップをさらに有する。
【発明の効果】
【００１３】
本発明によれば、斬新な印象を与える照明器具を提供することができる。
【図面の簡単な説明】
【００１４】
【図１】実施形態の照明器具１の概略図である。
【図２】実施形態の照明器具１の上部を斜め上方から見た模式図である。
【図３】実施形態におけるランプシェード１０をより詳細に説明する図である。
【図４】実施形態の照明器具１の使用状態を示す図である。
【図５】変形例１のランプシェード２０を説明する図である。
【図６】変形例１の照明器具２の使用状態を示す図である。
【図７】変形例２のランプシェード３０を説明する図である。
【図８】変形例２の照明器具３の使用状態を示す図である。
【図９】変形例３のランプシェード４０を説明する図である。
【図１０】変形例３の照明器具４の使用状態を示す図である。
【図１１】変形例４のランプシェード５０を説明する図である。
【図１２】変形例４の照明器具５の使用状態を示す図である。
【図１３】変形例５のランプシェード６０を説明する図である。
【図１４】変形例５の照明器具６の使用状態を示す図である。
【図１５】変形例６のランプシェード７０を説明する図である。
【図１６】変形例６の照明器具７の使用状態を示す図である。
【図１７】変形例７のランプシェード８０を説明する図である。
【図１８】変形例７の照明器具８の使用状態を示す図である。
【発明を実施するための形態】
【００１５】
以下、図を参照して、本発明の実施形態を説明する。
図１は、本実施形態の照明器具１の概略図である。
図２は、本実施形態の照明器具１の上部を斜め上方から見た模式図である。
図１及び図２に例示するように、照明器具１は、ランプシェード１０と、ランプ１６とで構成されている。
ランプシェード１０は、筒状体１１と、上部枠体１２と、下部枠体１４とで構成されている。
筒状体１１は、上部枠体１２及び下部枠体１４によって、中空空間を保持されており、この中空空間にランプ１６が配置されている。より具体的には、ランプ１６が、上部枠体１２によって、筒状体１１の中空空間の上部に固定される。
【００１６】
筒状体１１は、シート状部材によって筒状に形成され、上部及び下部に開口を有している。筒状体１１は、例えば、織物、編物、又は不織布などの繊維布帛で構成されており、着色、プリント、凹凸柄、スリット、切り抜き、又はプリーツ加工などによって加飾されてもよい。なお、繊維布帛は、本発明に係るシート状部材の一例である。なお、織物や編物などのシート状部材を得た後、シート状部材の端部を縫製、融着、接着剤などで接合して筒状に成形し得られた筒状体の他、糸から直接、筒状に形成される丸打組紐、袋織された織物、袋編された編物などの筒状体も、本実施形態のシート状部材によって筒状に形成された筒状体１１に含まれる。
繊維布帛を構成する繊維としては、天然繊維、再生繊維、半合成繊維、合成繊維、ガラス繊維、又は、炭素繊維等を挙げることができ、またこれらのものに限定されるものではないが、筒状体１１の風合いが柔らかく、しなやか、また、伸縮性を有しきれいなくびれを有する形状のランプシェードが得られることやランプシェードの風などによる柔らかな揺れの観点からは、合成繊維、再生繊維、半合成繊維、天然繊維が好ましく、また、耐久性の観点からは、合成繊維が好ましい。合成繊維としては、ナイロン、ポリエステル、ポリウレタン、アクリル、アセテート、又は、ビニロン等を挙げることができる。湿度などに対する形状保持性の観点からはポリエステルが好ましい。本例において、筒状体１１は、ポリエステル繊維で構成されている。
また、筒状体１１は、難燃性の繊維布帛で構成されることが望ましい。ランプ１６から発生する熱で火災となることを防ぐことができる。さらに、筒状体１１は、光を透過させる透光性を有する繊維布帛で構成されることが望ましい。ランプ１６の光の一部を透過させ、やわらかい光にすることが期待できる。
【００１７】
筒状体１１は、照明器具１が設置された状態における上下方向に伸縮性のある繊維布帛であることが好ましい。上下方向の伸縮性によって、ランプシェード１０がしなやかに変形し、風などによって自然に揺らぐことが可能になる。
さらに、筒状体１１は、照明器具１が設置された状態における横方向に伸縮性のある繊維布帛であり、かつ、非伸長状態（伸びていない状態）において、上部枠体１２又は下部枠体１４よりも小さな径の筒状であることが好ましい。これによって、上部枠体１２又は下部枠体１４の近傍において、筒状体１１が横方向（枠体と平行な方向）に伸長し、上部枠体１２又は下部枠体１４から離れるにしたがって筒状体１１が自然に縮み、きれいなくびれが生じる。
筒状体１１の伸縮性は、楊柳又はオジヤなどのように撚糸をかけた糸、加工糸、ポリウレタン糸、ポリトリメチレンテレフタレートなどの弾性を有する糸を用いることで実現されてもよいし、編物などのように繊維布帛の組織構造によって実現されてもよい。
本例の筒状体１１は、上下方向及び横方向に伸縮性を有し、かつ、非伸長状態において、上部枠体１２又は下部枠体１４よりも小さな径で円柱状に形成されて、上部及び下部に開口を有している。
【００１８】
上部枠体１２は、本発明に係る第１の枠体の一例であり、筒状体１１よりも硬い素材で構成され、筒状体１１の上部で中空空間を保持するように固定されている。ここで、上部枠体１２は、筒状体１１よりも硬い素材で構成されるとは、上部枠体１２は、筒状体１１よりも圧縮力に対抗する力が強いことをいう。また、ここで、素材とは、もととなる材料をいう。例えば、上部枠体１２の素材は、金属、プラスチック、紙、ゴム、木、竹又は籐等である。本例において、上部枠体１２は、その素材、及び、成形された枠体の形状により、筒状体１１よりも圧縮力に対抗する力が強くなる。本例の上部枠体１２は、円形の上部外枠１２０で、筒状体１１の上端部を保持するように固定されている。なお、上部枠体１２は、三角形、四角形又は五角形などの多角形に形成されてもよい。
本例の上部枠体１２は、円形の上部外枠１２０に加えて、円形の上部内枠１２２、及び、上部外枠１２０と上部内枠１２２との間を連結する４本の連結柱１２４を有する。上部内枠１２２は、ランプ１６を固定するための連結部材である。本例では、上部外枠１２０、上部内枠１２２、及び４本の連結柱１２４が、金属によって一体的に形成されている。なお、上部枠体１２は、外径（上部外枠１２０の直径）が可変式となるように構成されてもよい。上部枠体１２の外径が任意に変更することにより、ランプシェード１０の意匠性の変化を楽しむことができる。また、製品ラインナップの観点からも好ましい。さらに、本例の上部枠体１２は、金属で構成されているが、プラスチック、紙、ゴム、木、竹、籐などで構成されてもよく、また、炭素繊維、アラミド繊維、又は、ガラス繊維などの強化繊維と樹脂とを複合した繊維強化複合材料を用いたものであってもよい。炭素繊維などを用いた繊維強化複合材で構成された枠体を用いると、より軽いランプシェードを得ることができる。
同一の大きさの枠体を用いた場合であっても、異なる素材を用いたり、枠体に中空状の材料を用いたりするなどして、枠体の重さを変えることにより、得られるランプシェードの形状を変えることも可能である。
【００１９】
下部枠体１４は、本発明に係る第２の枠体の一例であり、筒状体１１よりも硬い素材で構成され、筒状体１１の下部で中空空間を保持するように固定されている。ここで、下部枠体１４は筒状体１１よりも硬い素材で構成される、及び、素材の定義は、上部枠体１２における定義と同様である。本例の下部枠体１４は、金属製のリングであり、筒状体１１の下端部を保持するように固定されている。なお、下部枠体１４は、三角形、四角形又は五角形などの多角形に形成されてもよい。
【００２０】
下部枠体１４は、上部枠体１２に対して、相対的に揺動可能に支持されている。より具体的には、下部枠体１４は、筒状体１１のみによって支持されており、筒状体１１がしなやかに変形又は伸縮することによって、下部枠体１４が搖動する。本例の下部枠体１４は、伸縮性のある筒状体１１の下端部に固定されており、下部枠体１４の重量で筒状体１１に張力がかかり、風などで自然に揺らぎ意匠性に優れる。
なお、本例では、伸縮性のある筒状体１１の下端部に下部枠体１４を固定することにより、下部枠体１４を揺動可能に支持しているが、これに限定されるものではなく、硬質の部材で下部枠体１４が上部枠体１２に連結されていなければ足り、例えば、下部枠体１４が、鎖や柔らかい紐状物で上部枠体１２から吊り下げられていてもよい。
なお、下部枠体１４も、外径が可変式となるように構成されてもよい。また、下部枠体１４も、金属の他、プラスチック、紙、ゴム、木、竹、籐などで構成されてもよく、上部枠体１２と同様に繊維強化複合材料を用いたものであってもよい。
また、上部枠体１２と同様に、同一の大きさの枠体を用いた場合であっても、異なる素材を用いたり、枠体に中空状の材料を用いたりするなどして、枠体の重さを変えることにより、得られるランプシェードの形状を変えることも可能である。
また、上記枠体１２と下部枠体１４の素材は同じであっても異なっていても良い。
【００２１】
ランプ１６は、ＬＥＤ電球１６０と、ソケット１６２と、吊り下げケーブル１６４とで構成されている。
ＬＥＤ電球１６０は、本発明に係る光源の一例であり、筒状体１１の中空空間の中に配置される。なお、光源は、白熱電球、蛍光灯、蝋燭等であってもよい。
ソケット１６２は、ＬＥＤ電球１６０のソケットであり、かつ、上部枠体１２の上部内枠１２２に嵌り込む嵌合部材でもある。
吊り下げケーブル１６４は、ソケット１６２の上部に固定されたケーブルであり、天井等から吊り下げるためのケーブルとして機能すると共に、ソケット１６２に電源を供給するための電源ケーブルとしても機能する。
【００２２】
図３は、本実施形態におけるランプシェード１０をより詳細に説明する図である。
図３（Ａ）は、ランプシェード１０の正面図であり、図３（Ｂ）は、ランプシェード１０の平面図であり、図３（Ｃ）は、ランプシェード１０の底面図である。なお、本実施形態のランプシェード１０は、概ね回転対称であるため、右側面図、左側面図及び背面図は、図３（Ａ）の正面図と実質的に同じである。
【００２３】
図３に例示するように、ランプシェード１０の上部枠体１２は、下部枠体１４と同じ径を有する。具体的には、上部枠体１２の直径Ｄ１、及び、下部枠体１４の直径Ｄ２は、５０ｃｍである。筒状体１１は、非伸縮状態において、直径５０ｃｍよりも小さな径の筒状であり、上端部及び下端部を伸長させた状態で、それぞれ上部枠体１２及び下部枠体１４に固定されている。これによって、筒状体１１は、上下方向の中間位置を最狭部として、くびれた形状となる。図３（Ｂ）に示すように、ランプシェード１０を真上から見ると、くびれた筒状体１１の内壁面が見える。同様に、図３（Ｃ）に示すように、ランプシェード１０を真下から見た場合にも、くびれた筒状体１１の内壁面が見える。
下部枠体１４の重量は２５０ｇであり、この下部枠体１４が吊り下げられた筒状体１１は伸長して、７０ｃｍ程度の長さとなっている。筒状体１１は、オジヤの繊維布帛を２枚重ねて筒状に形成したものである。
【００２４】
図４は、本実施形態の照明器具１の使用状態を示す図である。
図４に示すように、筒状体１１の中空空間の上部に設けられた光源（ＬＥＤ電球１６０）から照射された光は、くびれた筒状体１１の内壁面に投影され、きれいなグラデーションとなる。
風などで下部枠体１４が、上部枠体１２（光源が固定されている）に対して相対的に搖動すると、このグラデーションも変化して、斬新な意匠となる。
【００２５】
照明器具１の製造方法を説明する。
まず、伸縮性のある繊維布帛で形成された筒状体１１を用意する（工程１）。
次に、この筒状体１１の上端部を伸長させて、伸長させた筒状体１１の上端部に上部枠体１２を縫い付けるなどして固定する（工程２）。
次に、筒状体１１の下端部を伸長させて、伸長させた筒状体１１の下端部に下部枠体１４を縫い付けるなどして固定する（工程３）。
最後に、上部枠体１２にランプ１６のソケット１６２をはめ込んで、ランプ１６を上部枠体１２に固定する（工程４）。なお、工程２〜工程４の順序は変更してもよい。
上記製造方法によって、斬新な印象を与える照明器具１を提供することができる。
【００２６】
［変形例１］
以下、上記実施形態の変形例を説明する。なお、変形例の照明器具２〜８は、ランプシェードの形状及び材質を除いて、上記実施形態と同じである。
図５は、変形例１のランプシェード２０を説明する図であり、図５（Ａ）は、ランプシェード２０の正面図、図５（Ｂ）は、ランプシェード２０の平面図、図５（Ｃ）は、ランプシェード２０の底面図である。なお、変形例１のランプシェード２０も、上記実施形態と同様に概ね回転対称である。
図５に例示するように、ランプシェード２０の上部枠体２２の直径Ｄ１、及び、下部枠体２４の直径Ｄ２は、５０ｃｍである。筒状体２１は、非伸縮状態において、上記実施形態よりもさらに小さな径の筒状である。このため、変形例１のランプシェード２０は、上記実施形態のランプシェード１０よりもくびれが大きい。
下部枠体２４の重量は２５０ｇであり、筒状体２１は、８３ｃｍ程度の長さとなっている。筒状体２１は、楊柳の繊維布帛を２枚重ねて筒状に形成されたものである。なお、筒状体２１は、２枚重ねに限定されるものではなく、１枚の繊維布帛で形成してもよいし、３枚以上の繊維布帛で形成してもよい。本例では、楊柳シボが上下方向に流れるように配置して、筒状体２１の横方向に伸縮性を付与している。このように、ランプシェード２０は、特定の方向（設置時の横方向又は上下方向）のみに伸縮性を有する筒状体２１を採用してもよい。特に、横方向の伸縮性がランプシェードのくびれに影響するため、その伸縮性を調整することが重要である。
【００２７】
図６は、変形例１の照明器具２の使用状態を示す図である。
図６に示すように、変形例１のランプシェード２０は、上記実施形態のランプシェード１０よりもくびれが大きいため、光が投影される領域が、より上方に制限され、クラデーションがより強くなる。また、楊柳はオジヤに比べ縦方向の伸縮性は小さいが、風などで下部枠体２４が、上部枠体２２に対して相対的に搖動すると、このグラデーションも変化した斬新な意匠となる。
【００２８】
［変形例１−２］
変形例１−２のランプシェード２０について説明する。変形例１−２のランプシェード２０は、変形例１のランプシェード２０の枠体の素材を変えたものである。
変形例１−２に用いた枠体は、炭素繊維と樹脂とを組み合わせて得られた炭素繊維強化複合材を用いて得られた物である。したがって、上部枠体２２及び下部枠体２４の直径Ｄ１、Ｄ２はそれぞれ５０ｃｍと変形例１と同一の直径でありながら、重量はそれぞれ１２ｇである。
ランプシェード２０の形状は変形例１と同様であるが、得られたランプシェード２０は軽く、天井等の強度が弱い箇所なであっても吊り下げることが可能となる。また、弱い風でもランプシェード２０全体が揺れやすいものとなる。
また、筒状体２１は変形例１と同様に楊柳の繊維布帛を２枚重ねて筒状に形成されたものであり、楊柳シボが上下方向に流れるように配置して、筒状体２１の横方向に伸縮性を付与している。筒状体２１は、縦方向への伸縮性は小さい楊柳の繊維布帛を用いたため、筒状体２１は、変形例１とほぼ同一の８３ｃｍ程度の長さとなっている。
変形例１−２で得られたランプシェードの形状は変形例１と同様であったが、縦方向に伸縮性を有する、例えば、上記実施形態のオジヤの繊維布帛や縦方向に伸びる組織の織編物、また、縦方向に伸縮性のある糸を用いた織編物などを用いれば、枠体の直径が同じであっても、下部枠体の重量の違いにより変形例１とは異なった形状（縦方向に伸長した形状）のランプシェードが得られる。
【００２９】
［変形例１−３］
変形例１−３のランプシェード２０について説明する。変形例１−３のランプシェード２０において、上部枠体２２は、筒状体２１よりも柔らかい素材で構成される。このとき、上部枠体２２は、枠体として、筒状体２１を支持できる程度に、十分な支持力を有しておればよい。なお、構造全体で、筒状体２１を支持できる程度に支持力を有していてもよい。また、下部枠体２４も、筒状体２１よりも柔らかい素材で構成されてもよい。
【００３０】
［変形例２］
図７は、変形例２のランプシェード３０を説明する図であり、図７（Ａ）は、ランプシェード３０の正面図、図７（Ｂ）は、ランプシェード３０の平面図、図７（Ｃ）は、ランプシェード３０の底面図である。なお、変形例２のランプシェード３０も、上記実施形態と同様に概ね回転対称である。
図７に例示するように、ランプシェード３０の上部枠体３２の直径Ｄ１、及び、下部枠体３４の直径Ｄ２は、５０ｃｍである。筒状体３１は、非伸縮状態において、上記実施形態よりも大きな径の筒状である。このため、変形例２のランプシェード３０は、上記実施形態のランプシェード１０よりもくびれが小さい。
下部枠体３４の重量は２５０ｇであり、この下部枠体３４が吊り下げられた筒状体３１は伸長して、８９ｃｍ程度の長さとなっている。筒状体３１は、オジヤの繊維布帛に皺加工を加えたものを２枚重ねて筒状に形成したものである。
【００３１】
図８は、変形例２の照明器具３の使用状態を示す図である。
図８に示すように、変形例２のランプシェード３０は、上記実施形態のランプシェード１０よりもくびれが小さいため、光が投影される領域が、より下方にまで広がり、クラデーションがゆるやかになる。
【００３２】
［変形例３］
図９は、変形例３のランプシェード４０を説明する図であり、図９（Ａ）は、ランプシェード４０の正面図、図９（Ｂ）は、ランプシェード４０の平面図、図９（Ｃ）は、ランプシェード４０の底面図である。なお、変形例３のランプシェード４０も、上記実施形態と同様に概ね回転対称である。
図９に例示するように、ランプシェード４０の上部枠体４２は、下部枠体４４とは異なる径となっている。具体的には、上部枠体４２の直径Ｄ１は、５０ｃｍであり、下部枠体４４の直径Ｄ２は、４０ｃｍである。つまり、上部枠体４２の直径は、下部枠体４４よりも大きい。このため、ランプシェード４０の最狭小部（くびれ位置）は、上記実施形態のランプシェード１０よりも下方にある。
下部枠体４４の重量は２００ｇであり、筒状体４１は８４ｃｍ程度の長さとなっている。筒状体４１は、変形例１と同様の楊柳の繊維布帛を２枚重ねて筒状に形成したものである。
【００３３】
図１０は、変形例３の照明器具４の使用状態を示す図である。
図１０に示すように、変形例３のランプシェード４０は、上記実施形態のランプシェード１０よりも最狭小部が低い位置にあるため、くびれが同程度であったとしても、光が投影される領域が、より下方にまで広がり、クラデーションがゆるやかになる。
【００３４】
［変形例４］
図１１は、変形例４のランプシェード５０を説明する図であり、図１１（Ａ）は、ランプシェード５０の正面図、図１１（Ｂ）は、ランプシェード５０の平面図、図１１（Ｃ）は、ランプシェード５０の底面図である。なお、変形例４のランプシェード５０も、上記実施形態と同様に概ね回転対称である。
図１１に例示するように、ランプシェード５０の上部枠体５２の直径Ｄ１は、５０ｃｍであり、下部枠体５４の直径Ｄ２は、３０ｃｍである。筒状体５１は、非伸縮状態において、上記変形例３よりも大きな径の筒状である。このため、変形例４のランプシェード５０は、上記変形例３のランプシェード４０よりもくびれが小さい。
下部枠体５４の重量は１２０ｇであり、この下部枠体５４が吊り下げられた筒状体５１は伸長して、６８ｃｍ程度の長さとなっている。筒状体５１は、オジヤの繊維布帛を２枚重ねて筒状に形成したものである。
【００３５】
図１２は、変形例４の照明器具５の使用状態を示す図である。
図１２に示すように、変形例４のランプシェード５０は、上記変形例３のランプシェード４０よりもくびれが小さいため、光が投影される領域が、より下方にまで広がり、クラデーションがゆるやかになる。
【００３６】
［変形例５］
図１３は、変形例５のランプシェード６０を説明する図であり、図１３（Ａ）は、ランプシェード６０の正面図、図１３（Ｂ）は、ランプシェード６０の平面図、図１３（Ｃ）は、ランプシェード６０の底面図である。なお、変形例５のランプシェード６０も、上記実施形態と同様に概ね回転対称である。
図１３に例示するように、ランプシェード６０の上部枠体６２の直径Ｄ１は、５０ｃｍであり、下部枠体６４の直径Ｄ２は、３０ｃｍである。筒状体５１は、非伸縮状態において、下部枠体６４とほぼ同じ径の筒状である。このため、変形例５のランプシェード６０は、上部枠体６２の近傍で最も広く伸長しており、下部枠体６４に向かって徐々に狭まっていく。
下部枠体６４の重量は１２０ｇであり、この下部枠体６４が吊り下げられた筒状体６１は伸長して、９０ｃｍ程度の長さとなっている。筒状体６１は、オジヤの繊維布帛に皺加工を加えたものを２枚重ねて筒状に形成したものである。
【００３７】
図１４は、変形例５の照明器具６の使用状態を示す図である。
図１４に示すように、変形例５のランプシェード６０は、上記変形例４のランプシェード４０よりもさらにくびれが小さいため、光が投影される領域が、下端まで広がり、クラデーションがさらにゆるやかになる。
皺加工を加えた繊維布帛を筒状体６１に採用したことに加えて、下部枠体６２による引張りがほとんど無いため、ランプシェード６０の下部には、繊維布帛の凹凸テキスチャ（シボ）が比較的はっきりと視認できる。また、ランプシェード６０の下部から中央部にかけて緩やかなヒダが形成されている。
【００３８】
［変形例６］
図１５は、変形例６のランプシェード７０を説明する図であり、図１５（Ａ）は、ランプシェード７０の正面図、図１５（Ｂ）は、ランプシェード７０の平面図、図１５（Ｃ）は、ランプシェード７０の底面図である。なお、変形例６のランプシェード７０も、上記実施形態と同様に概ね回転対称である。
図１５に例示するように、ランプシェード７０の上部枠体７２の直径Ｄ１は、３５ｃｍであり、下部枠体７４の直径Ｄ２は、４０ｃｍである。つまり、上部枠体７２の直径は、下部枠体７４よりも小さい。このため、ランプシェード７０の最狭小部（くびれ位置）は、上記実施形態のランプシェード１０よりも上方にある。
下部枠体７４の重量は２００ｇであり、筒状体７１は８５ｃｍ程度の長さとなっている。筒状体７１は、変形例１と同様の楊柳の繊維布帛を２枚重ねて筒状に形成したものである。
【００３９】
図１６は、変形例６の照明器具７の使用状態を示す図である。
図１６に示すように、変形例６のランプシェード７０は、上記実施形態のランプシェード１０よりも最狭小部が高い位置にあるため、くびれが同程度であったとしても、光が投影される領域が、より上方に制限される。
【００４０】
［変形例７］
図１７は、変形例７のランプシェード８０を説明する図であり、図１７（Ａ）は、ランプシェード８０の正面図、図１７（Ｂ）は、ランプシェード８０の平面図、図１７（Ｃ）は、ランプシェード８０の底面図である。なお、変形例７のランプシェード８０も、上記実施形態と同様に概ね回転対称である。
図１７に例示するように、ランプシェード８０の上部枠体８２の直径Ｄ１は、３５ｃｍであり、下部枠体８４の直径Ｄ２は、３０ｃｍである。つまり、上部枠体８２の直径は、下部枠体８４よりも大きい。
下部枠体８４の重量は１２０ｇであり、この下部枠体８４が吊り下げられた筒状体８１は伸長して、８９ｃｍ程度の長さとなっている。筒状体８１は、オジヤの繊維布帛に皺加工を加えたものを２枚重ねて筒状に形成したものである。
【００４１】
図１８は、変形例７の照明器具８の使用状態を示す図である。
図１８に示すように、変形例７のランプシェード８０は、皺加工を加えたオジヤの繊維布帛を採用し、かつ、筒状体８１の横方向の引張りが比較的弱いため、ランプシェード８０の中央付近に繊維布帛の凹凸が視認しやすくなっている。
【符号の説明】
【００４２】
１，２，３，４，５，６，７，８  照明器具
１０，２０，３０，４０，５０，６０，７０，８０  ランプシェード
１１，２１，３１，４１，５１，６１，７１，８１  筒状体
１２，２２，３２，４２，５２，６２，７２，８２  上部枠体
１４，２４，３４，４４，５４，６４，７４，８４  下部枠体
【図１】
2017107854.tif 000003
【図２】
2017107854.tif 000004
【図３】
2017107854.tif 000005
【図４】
2017107854.tif 000006
【図５】
2017107854.tif 000007
【図６】
2017107854.tif 000008
【図７】
2017107854.tif 000009
【図８】
2017107854.tif 000010
【図９】
2017107854.tif 000011
【図１０】
2017107854.tif 000012
【図１１】
2017107854.tif 000013
【図１２】
2017107854.tif 000014
【図１３】
2017107854.tif 000015
【図１４】
2017107854.tif 000016
【図１５】
2017107854.tif 000017
【図１６】
2017107854.tif 000018
【図１７】
2017107854.tif 000019
【図１８】
2017107854.tif 000020